(57)【要約】【課題】この考案は、ゴム手袋等の内側の乾きにくい洗濯物を干すための専用のハンガーに関するものである。【解決手段】手袋干しハンガー支柱１に弾力性の指かけ枝２を５本設け、更にその先端を球状３に設ける。ハンガー支柱の下部には穴止めのツバ４を設け、親指の中ほどに関節部分５を設けて上の方が自由に動くようにする  ハンガーの干し方はいろいろで、市販のピンチを使って横棒（物干し竿）、縦棒（ポール・フェンス）等に、吸盤を使って壁等に、厚みのある物に穴を空けて直接立てる等そのまま干して乾きが早いハンガーである。これでゴム手袋やビニール手袋の物干しが容易になり、長年の悩みも解消される。【選択図】図１
0003105950.tif 000002
【実用新案登録請求の範囲】
【請求項１】
図１のハンガー支柱１に弾力性の指掛け枝５本、２を設ける。弾力性の指掛け枝は先端を球状３のように設ける。ハンガー支柱の下部には穴止めツバ４を設ける。親指の中ほどに関節部分５を設ける。以上の如く構成された、手袋干しハンガー。
【考案の詳細な説明】
【技術分野】
【０００１】  本考案は、ゴム製の手袋や、ビニール製の手袋を洗濯した後、干すための手袋干しハンガーである。
【背景技術】
【０００２】普通の布製の手袋は洗濯した後干す場合は、そのまま物干し竿にかけたり、洗濯ハサミで吊るして干せば充分乾燥し物干し作業は完了する。【０００３】ところが、ゴム製やビニール製の手袋は布製の手袋のようにして干すと、指の内側がくっ付いたり、水切れが悪いため指先の内側の先端に水滴が残っていたりして、手袋の内側の感想が充分に出来ない。等の問題があった。【０００４】それで殆どの場合、イ手袋を裏返しにして干すか  ロ裏返さずそのまま指先を洗濯ハサミでつまんで干したりしている。イの場合裏返しにするときも、乾いた後元に戻すときも面倒で大変。この作業を何度も繰り返すと、ゴム手袋の指の部分が劣化して破損しやすく耐用期間が短くなる。ロの場合、つまんだところが内側でくっ付いたり、他の指のところが折れ曲がって手袋全体の水切れが悪く、充分に乾燥しない。【０００５】ゴム製の手袋や、ビニール製の手袋は洗濯した後乾かすのが大変で皆頭を痛めているところです。これを解消しようと考案したもの。
【考案の開示】
【考案が解決しようとする課題】
【０００６】この手袋干しハンガーで干すと、手袋を裏返しにする必要もなく、手袋内側の水切れもよく、指先まで乾燥した空気が入り、ゴム手袋等の内側を充分に乾かすことが出来る。親指のところに関節機能を設けることで上の部分が自由に動くので手袋のサイズＬ、Ｍ、Ｓ全てをスムーズに履くことが出来る。
【課題を解決するための手段】
【０００７】  本考案のハンガーにゴム手袋等を履かせ、補助用具として市販のピンチ、吸盤を使って干す。
【考案の効果】
【０００８】ゴム製、ビニール製手袋の洗濯後の物干し作業が簡単で、手袋の内側、指先の先端まで完全に乾かすことができる。ゴム製、ビニール製手袋を裏返しにしたり、洗濯ハサミでつまんだりしないので、ゴム製、ビニール製手袋を長持ちさせることができる。ハンガーにゴム手袋等を履かせて干すときは、市販のピンチ、吸盤を使って容易に物干し作業ができる。又、ハンガー支柱の下部の穴止めツバを利用して厚みのあるもの、板等に穴を空けて直接立てて干すこともできる。この方法だと狭いところで、一度にたくさんのハンガーを立てることが出来るので業務用としても便利である。
【考案を実施するための最良の形態】
【０００９】考案のハンガーはピンチを使って物干し竿、ポール・フェンスなどに、吸盤の使える処は吸盤を使って、穴のあるものにはハンガーを直接立てる等、干し方はいろいろ。工夫次第で用途も広まる。
【実施例１】
【００１０】  図１は、本考案ハンガーの正面図である。【００１１】  図２は、ピンチを使って横棒（物干し竿）に干したところ。【００１２】  図３は、ピンチを使って縦棒（ポール・フェンスなど）に干したところ【００１３】  図４は、吸盤を使ってタイルの壁に干したところ。【００１４】  図５は、板等厚みのある物に穴を空けて、穴に立てて干したところ。
【図面の簡単な説明】
【００１５】
【図１】手袋干しハンガー本体の説明図である。
【図２】補助用具（ピンチ）を使って、物干し竿に干した説明図である。
【図３】補助用具（ピンチ）を使って、ベランダのフェンスに干した説明図である。
【図４】補助用具（吸盤）を使って、タイルの壁に干した説明図である。
【図５】厚みのある物に穴をあけて干した説明図である。
【符号の説明】
【００１６】１  ハンガー支柱
２  指掛け枝
３  球状の先端
４  穴止めのツバ
５  関節部分
【図１】
0003105950.tif 000003
【図２】
0003105950.tif 000004
【図３】
0003105950.tif 000005
【図４】
0003105950.tif 000006
【図５】
0003105950.tif 000007
【手続補正書】
【提出日】平成16年6月11日(2004.6.11)
【手続補正２】
【補正対象書類名】実用新案登録請求の範囲
【補正対象項目名】全文
【補正方法】変更
【補正の内容】
【実用新案登録請求の範囲】
【請求項１】
(１)ハンガー支柱1に弾力性の指掛け枝5本、2を設ける。
(２) 弾力性の指掛け枝は先端を球状3のように設ける。
(３)ハンガー支柱の下部には穴止めツバ4を設ける。
(４)親指の中ほどに関節部分5を設ける。
以上からなる手袋干しハンガー。
【手続補正３】
【補正対象書類名】明細書
【補正対象項目名】全文
【補正方法】変更
【補正の内容】
【考案の詳細な説明】
【技術分野】
【０００１】
本考案は、ゴム製の手袋や、ビニール製の手袋を洗濯した後、干すための手袋干しハンガーである。
【背景技術】
【０００２】
普通の布製の手袋は洗濯した後干す場合は、そのまま物干し竿にかけたり、洗濯ハサミで吊るして干せば                    充分乾燥し物干し作業は完了する。
【０００３】
ところが、ゴム製やビニール製の手袋は布製の手袋のようにして干すと、指の内側がくっ付いたり、水切れ          が悪いため指先の内側の先端に水滴が残っていたりして、手袋の内側の乾燥が充分に出来ない。等の問題があった。
【０００４】
それで殆どの場合、イ手袋を裏返しにして干すか  ロ裏返さずそのまま指先を洗濯ハサミでつまんで干した          りしている。イの場合裏返しにするときも、乾いた後元に戻すときも面倒で大変。この作業を何度も繰り返すと、ゴム手袋の指の部分が劣化して破損しやすく耐用期間が短くなる。ロの場合、つまんだところが内側でくっ付いたり、他の指のところが折れ曲がって手袋全体の水切れが悪く、充分に乾燥しない。
【０００５】
ゴム製の手袋や、ビニール製の手袋は洗濯した後乾かすのが大変で皆頭を痛めているところです。これを          解消しようと考案したもの。
【考案の開示】
【考案が解決しようとする課題】
【０００６】
この手袋干しハンガーで干すと、手袋を裏返しにする必要もなく、手袋内側の水切れもよく、指先まで乾燥          した空気が入り、ゴム手袋等の内側を充分に乾かすことが出来る。親指のところに関節機能を設けることで上の部分が自由に動くので手袋のサイズL、M、S全てをスムーズに履くことが出来る。
【課題を解決するための手段】
【０００７】
本考案のハンガーにゴム手袋等を履かせ、補助用具として市販のピンチ、吸盤を使って干す。
【考案の効果】
【０００８】
ゴム製、ビニール製手袋の洗濯後の物干し作業が簡単で、手袋の内側、指先の先端まで完全に乾かすこと        ができる。 ゴム製、ビニール製手袋を裏返しにしたり、洗濯ハサミでつまんだりしないので、ゴム製、ビニール製手袋を長持ちさせることができる。
本考案の手袋干しハンガーにゴム手袋等を履かせて干すときは、市販のピンチ、吸盤を使って容易に物干し作業ができる。 又、ハンガー支柱の下部の穴止めツバを利用して厚みのあるもの、板等に穴を空けて直接立てて干すこともできる。この方法だと狭いところで、一度にたくさんのハンガーを立てることが出来るので業務用としても便利である。
【考案を実施するための最良の形態】
【０００９】
考案の手袋干しハンガーはピンチを使って物干し竿・ポール・フェンスなどに、吸盤の使える処は吸盤を使って、穴のあるものにはハンガーを直接立てる等、干し方はいろいろで用途が広く便利である。
【実施例１】
【００１０】
図１は、本考案手袋干しハンガーの正面図であり、背面図でもある。
【図面の簡単な説明】
【００１１】
【図１】手袋干しハンガーの説明図である。
【符号の説明】
【００１２】
１  ハンガー支柱
２  指掛け枝
３  球状の先端
４  穴止めのツバ
５  関節部分
【手続補正４】
【補正対象書類名】図面
【補正対象項目名】全図
【補正方法】変更
【補正の内容】
【図１】
0003105950.tif 000008